(57)【要約】【課題】スライド手段から筆記芯が突出している状態で先端ノックを行うことができ、スライド手段からの筆記芯の突出長さを使用者の好みに応じて設定することができるようにする。【解決手段】筆記芯がスライド手段５０から突出している状態で、筆記芯をノックする先端ノックがなされると、筆記芯を通じて筆記芯送り出し手段３０が後退し、介在手段７２を介して筆記芯送り出し手段３０がスライド手段５０を所定量に後退させて、スライド前進規制手段７０の係合突起７０ａがスライド手段５０の係合突起５４ｃに係止してその前進を規制することが可能であり、この状態で、先端ノックのノック力を解除すると、第１付勢手段６０によって、筆記芯送り出し手段３０が前進して、スライド手段５０に対して筆記芯の送り出しをする。【選択図】図１３
2014213509.tif 000002
【特許請求の範囲】
【請求項１】
先端部に先端開口を有する軸筒と、
軸筒内に摺動可能に配置され、筆記芯の前進は許容するが後退は阻止する筆記芯送り出し手段と、
軸筒内における筆記芯送り出し手段よりも先端側の位置に配置され、軸筒の先端開口から一部が出没するように軸筒に対して摺動可能であり、その内部を挿通する筆記芯に対して摩擦力を付与するスライド手段と、
軸筒内に設けられ、スライド手段が所定量以上の後退をしたときにスライド手段に係止してその前進を規制するスライド前進規制手段と、
筆記芯送り出し手段を常時前方へと付勢する第１付勢手段と、
スライド手段を常時前方へと付勢する第２付勢手段と、
筆記芯送り出し手段とスライド手段との間に設けられて、筆記芯送り出し手段の後退時にスライド手段を後方へ移動可能である介在手段と、
を備え、
筆記芯がスライド手段から突出している状態で、筆記芯をノックする先端ノックがなされると、筆記芯を通じて筆記芯送り出し手段が後退し、介在手段を介して筆記芯送り出し手段がスライド手段を所定量に後退させて、スライド前進規制手段がスライド手段に係止してその前進を規制することが可能であり、この状態で、先端ノックのノック力を解除すると、第１付勢手段によって、筆記芯送り出し手段が前進して、スライド手段に対して筆記芯の送り出しをすることができることを特徴とするシャープペンシル。
【請求項２】
前記介在手段は、前記筆記芯送り出し手段の後退時に前記スライド手段を後方へ牽引することを特徴とする請求項１記載のシャープペンシル。
【請求項３】
前記介在手段は、その後端部が前記筆記芯送り出し手段に固着され、その先端部が前記スライド手段に対して所定の範囲で摺動可能であることを特徴とする請求項１または２記載のシャープペンシル。
【請求項４】
前記介在手段の先端部には、前記スライド手段の所定位置に対して前方から干渉する干渉部が設けられることを特徴とする請求項３記載のシャープペンシル。
【請求項５】
前記介在手段は、筆記芯が挿通可能な管状に形成され、前記スライド手段の少なくとも一部を挿通することを特徴とする請求項１ないし４のいずれか１項に記載のシャープペンシル。
【請求項６】
前記スライド手段は、前記軸筒の先端開口から出没可能な先端スライド部材と、前記先端スライド部材の後端に固定された後端スライド部材と、を含み、前記介在手段の先端部は、後端スライド部材を挿通して前記先端スライド部材と前記後端スライド部材とに囲まれた空間内に位置することを特徴とする請求項１ないし５のいずれか１項に記載のシャープペンシル。
【発明の詳細な説明】
【技術分野】
【０００１】
本発明は、筆記先端をノック操作すること（以下、「先端ノック」ともいう）によって筆記芯の送り出しを行うことができるシャープペンシルに関する。
【背景技術】
【０００２】
従来、軸筒後端のノック部材をノック操作すること（以下「後端ノック」という）以外の方法で芯を送り出すことができるシャープペンシルとして、特許文献１〜３に示される、先端ノックにより芯を送り出すシャープペンシルが知られている。
【０００３】
特許文献１〜３で提案されるシャープペンシルは、外筒内に摺動可能に配置され、芯の前進は許容するが後退は阻止する芯送り出し機構と、外筒の先端に摺動可能に配置されて、内部を通過する芯に対して摩擦力を付与するスライド部材とを備えており、先端ノックとしては、スライド部材から芯が突出していない状態で行われる先端ノック（これを「第１の先端ノック」という）と、スライド部材から芯が突出している状態で行われる先端ノック（これを「第２の先端ノック」という）の２種類の方法を有している。第１の先端ノックの場合は、必ず、芯を送り出すことができるのに対して、第２の先端ノックの場合は、芯を送り出すことができる条件として、芯のスライド部材からの突出長さの上限が決められており、その上限突出長さは、０．４ｍｍが例示されているように、非常に短いものとなっている。
【０００４】
このように、従来の先端ノックは、基本的に、スライド手段から筆記芯がほとんど突出していない状態で行われることを想定しており、スライド手段から筆記芯が突出している状態で先端ノックを多数回繰り返すことにより、筆記芯だけが送り出されてしまう事態を防いでいる。
【先行技術文献】
【特許文献】
【０００５】
【特許文献１】特開昭６２−１５８０９９号公報
【特許文献２】特開昭６３−２６０４９３号公報
【特許文献３】実公平７−７１９７号公報
【発明の概要】
【発明が解決しようとする課題】
【０００６】
しかしながら、スライド手段から筆記芯がほとんど突出していない状態で筆記すると、筆記面にスライド手段が接して擦れることになるために、筆記しづらいという問題がある。そのため、一般的には、筆記時はスライド手段から筆記芯が突出している状態となっていることが多いと考えられる。
【０００７】
このような使用実態を考慮すると、スライド手段から筆記芯が突出している状態で先端ノックをして、筆記芯の消耗分だけ減少した突出長さを補うようにすることができることが望まれる。また、使用者によって、スライド手段からの筆記芯の所望の突出長さが異なるから、先端ノックによって、自由に突出長さを変えられるようにすることが望まれる。
【０００８】
本発明はかかる課題に鑑みなされたもので、スライド手段から筆記芯が突出している状態で先端ノックを行うことができ、スライド手段からの筆記芯の突出長さを使用者の好みに応じて設定することができるシャープペンシルを提供することをその目的とする。
【課題を解決するための手段】
【０００９】
上記目的を達成するために、請求項１記載の本発明は、
先端部に先端開口を有する軸筒と、
軸筒内に摺動可能に配置され、筆記芯の前進は許容するが後退は阻止する筆記芯送り出し手段と、
軸筒内における筆記芯送り出し手段よりも先端側の位置に配置され、軸筒の先端開口から一部が出没するように軸筒に対して摺動可能であり、その内部を挿通する筆記芯に対して摩擦力を付与するスライド手段と、
軸筒内に設けられ、スライド手段が所定量以上の後退をしたときにスライド手段に係止してその前進を規制するスライド前進規制手段と、
筆記芯送り出し手段を常時前方へと付勢する第１付勢手段と、
スライド手段を常時前方へと付勢する第２付勢手段と、
筆記芯送り出し手段とスライド手段との間に設けられて、筆記芯送り出し手段の後退時にスライド手段を後方へ移動可能である介在手段と、
を備え、
筆記芯がスライド手段から突出している状態で、筆記芯をノックする先端ノックがなされると、筆記芯を通じて筆記芯送り出し手段が後退し、介在手段を介して筆記芯送り出し手段がスライド手段を所定量に後退させて、スライド前進規制手段がスライド手段に係止してその前進を規制することが可能であり、この状態で、先端ノックのノック力を解除すると、第１付勢手段によって、筆記芯送り出し手段が前進して、スライド手段に対して筆記芯の送り出しをすることができることを特徴とする。
【００１０】
請求項２記載の発明は、請求項１記載の発明において、前記介在手段は、前記筆記芯送り出し手段の後退時に前記スライド手段を後方へ牽引することを特徴とする。
【００１１】
請求項３記載の発明は、請求項１または２記載の発明において、前記介在手段は、その後端部が前記筆記芯送り出し手段に固着され、その先端部が前記スライド手段に対して所定の範囲で摺動可能であることを特徴とする。
【００１２】
請求項４記載の発明は、請求項３記載の発明において、前記介在手段の先端部には、前記スライド手段の所定位置に対して前方から干渉する干渉部が設けられることを特徴とする。
【００１３】
請求項５記載の発明は、請求項１ないし４のいずれか１項に記載の発明において、前記介在手段は、筆記芯が挿通可能な管状に形成され、前記スライド手段の少なくとも一部を挿通することを特徴とする。
【００１４】
請求項６記載の発明は、請求項１ないし５のいずれか１項に記載の発明において、前記スライド手段は、前記軸筒の先端開口から出没可能な先端スライド部材と、前記先端スライド部材の後端に固定された後端スライド部材と、を含み、前記介在手段の先端部は、後端スライド部材を挿通して前記先端スライド部材と前記後端スライド部材とに囲まれた空間内に位置することを特徴とする。
【発明の効果】
【００１５】
本発明によれば、筆記芯がスライド手段から突出している状態で、筆記芯をノックする先端ノックを行うと、筆記芯を通じて筆記芯送り出し手段が後退し、このとき、介在手段を介して筆記芯送り出し手段がスライド手段を所定量に後退することができ、これによって、スライド前進規制手段がスライド手段に係止してその前進を規制することができる。よって、この状態で、先端ノックのノック力を解除すると、第１付勢手段によって、筆記芯送り出し手段が前進して、スライド手段に対して筆記芯を送り出すことができるようになる。また、筆記芯送り出し手段がスライド手段とスライド前進規制手段による規制を解除してスライド手段を前進させることで、第２付勢手段によって、スライド手段が筆記芯と共に前進して、軸筒から突出させることができる。
【００１６】
こうして、筆記芯がスライド手段から突出している状態で、先端ノックすることにより、筆記芯をスライド手段に対して確実に突出させることができるようになる。
【００１７】
これによって、筆記芯がスライド手段から突出している状態で、筆記中に、簡単に筆記芯を送り出すことができるようになる。また、先端ノックを適宜回数行うことで、使用者の好みに従って、筆記芯のスライド手段からの突出長さを調整することができるようになる。
【図面の簡単な説明】
【００１８】
【図１】本発明の実施形態に係るシャープペンシルの全体図である。
【図２】図１のシャープペンシルの縦断面図である。
【図３】本発明の実施形態に係るシャープペンシルの要部縦断面図である。
【図４】先筒及び継手筒の斜視図である。
【図５】筆記芯送り出し手段の縦断面図である。
【図６】送り出し筒の平面図である。
【図７】（ａ）はチャック要素からなるチャックの側面図、（ｂ）は（ａ）の７ｂ−７ｂ線に沿って見た断面図である。
【図８】スライド収納筒の断面図である。
【図９】スライド手段の縦断面図である。
【図１０】介在手段の斜視図である。
【図１１】本発明の実施形態に係るシャープペンシルの収納状態を表す要部縦断面図である。
【図１２】本発明の実施形態に係るシャープペンシルの収納解除途中の状態を表す要部縦断面図である。
【図１３】本発明の実施形態に係るシャープペンシルの先端ノック時の初期状態を表す要部縦断面図である。
【図１４】本発明の実施形態に係るシャープペンシルの先端ノック時の途中状態を表す要部縦断面図である。
【図１５】本発明の実施形態に係るシャープペンシルの先端ノック後の状態を表す要部縦断面図である。
【図１６】本発明の実施形態に係るシャープペンシルの筆記中の一例を表す要部縦断面図である。
【発明を実施するための形態】
【００１９】
以下、図面を用いて本発明の実施の形態を説明する。
【００２０】
図１において、１０は本発明の実施形態に係るシャープペンシルの軸筒であり、軸筒１０は、図２及び図３に示すように、外筒１２と、外筒１２の先端部に固定された継手筒１４と、継手筒１４を介して外筒１２の先端側に配設されて先端部に先端開口１６ａを有する先筒１６とから構成される。継手筒１４は、外筒１２に対して螺着されると共に、先筒１６に対して螺着される。これら外筒１２、継手筒１４及び先筒１６のうちの少なくとも２つは、一部品で構成してもよく、外筒１２、継手筒１４及び先筒１６の少なくとも１つは、複数部品で構成してもよい。また、外筒１２、継手筒１４及び先筒１６は互いに着脱可能に構成することができる。
【００２１】
継手筒１４には、図４に示すように、上下に一対の摺動溝１４ａ、１４ａが形成されている。各摺動溝１４ａは、継手筒１４の軸方向に平行に延びているが、その中央部において周方向にオフセットされた屈曲部１４ｂを有しており、この中央部の屈曲部１４ｂによって、軸方向において前後に分離した前側の前摺動溝部１４ｃと後側の後摺動溝部１４ｄとが形成される。
【００２２】
軸筒１０内には、大まかに、筆記芯を収納可能となった筆記芯収納手段２０と、筆記芯収納手段２０の先端に連結され筆記芯の送り出しを行う筆記芯送り出し手段３０と、筆記芯送り出し手段３０よりも先端側の位置に配置されたスライド手段５０と、筆記芯収納手段２０と筆記芯送り出し手段３０との間に介挿される第１付勢手段６０と、筆記芯送り出し手段３０とスライド手段５０との間に介挿される第２付勢手段６２と、スライド前進規制手段７０と、介在手段７２と、が配置される。以下、各手段、部材について詳細に説明する。
【００２３】
・筆記芯収納手段２０
筆記芯収納手段２０は、複数の筆記芯を収納可能とする収納筒２２と、収納筒２２の先端に一体に連結されて、筆記芯送り出し手段３０内に配設されるストッパ２４と、を備える。ストッパ２４は、継手筒１４の後摺動溝１４ｄに摺動可能に嵌合する突起２４ａを有しており、これによって、筆記芯収納手段２０は、軸筒１０内において、軸筒１０に対して摺動可能に且つ回転不能に配設される。
【００２４】
収納筒２２の後端部には、消しゴム２６及び消しゴムカバー２８が取り付けられており、軸筒１０の後端から突出している。
【００２５】
・筆記芯送り出し手段３０
筆記芯送り出し手段３０は、図５に示すように、送り出し機構３２と、送り出し機構３２の先端に連結されたスライド収納筒３６と、スライド収納筒３６内に設けられた突出し部材３８と、送り出し筒３２０の後方に配設された尾栓筒４０と、を備える。
【００２６】
さらに送り出し機構３２は、送り出し筒３２０と、複数のチャック要素３４０を組み合わせることによって構成されるチャック３４２と、チャック３４２の頭部に保持されたボール３４４と、送り出し筒３２０の内部に固定されてボール３４４が摺接するテーパ面を有するチャックリング３４６と、チャック３４２を送り出し筒３２０内で後方に付勢するチャックスプリング３４８と、を備える。
【００２７】
送り出し筒３２０は、その外側面に継手筒１４の前摺動溝１４ｃに摺動可能に嵌合する突起３２０ａを有しており、これによって、軸筒１０内において、軸筒１０に対して摺動可能に且つ回転不能に配設される。また、図６に示すように、送り出し筒３２０の後部には、後端から延設されたスリット３２０ｂが形成されており、このスリット３２０ｂを前記ストッパ２４の突起２４ａが摺動可能に挿通している。スリット３２０ｂの中央部は、スリット幅の狭くなった幅狭部３２０ｃとなっており、この幅狭部３２０ｃにおいては、ストッパ２４の突起２４ａとの摩擦抵抗が大きくなっている。
【００２８】
複数のチャック要素３４０を組み合わせることにより、チャック３４２は筆記芯が挿通する芯挿通孔３４２ａを画成すると共にその軸方向中央部において外径方向に環状に突出する環状突起３４２ｂを形成する。また、図７に示すように、各チャック要素３４０が軸方向略中央部を中心としてシーソー運動をすることができるように、軸方向両端部において各要素間に隙間を形成するようになっている。このシーソー運動によって、複数のチャック要素３４０の内周面の前部に形成される締付部３４０ａが径方向中心方向に互いに接近して、筆記芯を締め付けることが可能であると共に、複数のチャック要素３４０の締付部３４０ａが径方向放射方向に互いに離反して、筆記芯を解放することが可能となっている。
【００２９】
ボール３４４は、チャック要素３４０の前部に形成された孔３４０ｂにその一部が嵌め込まれている。また、このボール３４４が摺接するチャックリング３４６は、送り出し筒３２０の内部に形成された仕切り段部３２０ｄよりも前側において固定されて、後方に向かうに従って漸次縮径されたテーパ面を有している。
【００３０】
このボール３４４とチャックリング３４６のテーパ面との協働により、チャック３４２がチャックスプリング３４８によって後方に付勢されている状態においては、ボール３４４がチャック要素３４０を押し付けるので、各チャック要素３４０の締付部３４０ａが互いに接近して筆記芯を締め付けることができる。また、チャック３４２がチャックスプリング３４８の付勢力に抗して前進したときには、ボール３４４によるチャック要素３４０への押し付けが緩和されるために、各チャック要素３４０の締付部３４０ａは互いに離反して筆記芯を解放することができる。
【００３１】
以上の送り出し機構３２の構成により、送り出し機構３２は単独で、筆記芯が後方からチャック３４２の芯挿通孔３４２ａ内に挿入されたとき、または、チャック３４２の芯挿通孔３４２ａを挿通する筆記芯が前進しようとしたときに、チャック３４２が前進するので、筆記芯がチャック３４２の前進を許容する一方で、筆記芯が前方からチャック３４２の芯挿通孔３４２ａ内に挿入されたとき、または、チャック３４２の芯挿通孔３４２ａを挿通する筆記芯が後退しようとしたときには、筆記芯のチャック３４２に対する後退を阻止する、ワンウェイ構造となっている。
【００３２】
スライド収納筒３６は後述のスライド手段５０の一部を収納するためのものであり、その前部は、図８に示すように、径方向に変位可能となった複数の受け片３６ａから構成され、その内周面には凸部３６ｂが形成され、凸部３６ｂの後方部分はテーパ面３６ｃとなっている。突出し部材３８は、スライド収納筒３６の内部において、スライド収納筒３６に対して所定摺動範囲で摺動可能に配設されており、前記テーパ面３６ｃと係り合うことが可能となっている。このスライド収納筒３６の突出し部材３８との協働により、突出し部材３８がスライド収納筒３６に対して前進すると、テーパ面３６ｃに当接してスライド収納筒３６の受け片３６ａを外径方向へと押し広げるために、収納させたスライド手段５０を脱出させることが可能となっている。また、通常状態においては、突出し部材３８は、第２付勢手段６２によって所定摺動範囲の最後方位置に位置している。
【００３３】
尾栓筒４０は、送り出し筒３２０の後方に位置し、第１付勢手段６０によって送り出し筒３２０の後端に当接する方向に常時付勢されている。これによって、送り出し筒３２０のスリット３２０ｂの後端は尾栓筒４０によって閉塞される。組立てにおいては、前記筆記芯収納手段２０のストッパ２４の突起２４ａを送り出し筒３２０のスリット３２０ｂ内に挿入した後、尾栓筒４０によって閉塞することができる。
【００３４】
・スライド手段５０
スライド手段５０は、図９に示すように、軸筒１０の先筒１６の先端開口１６ａから一部が出没可能となった先端スライド筒５２と、先端スライド筒５２の後端に固定される後端スライド筒５４と、摩擦付与部材であるパッキン５６と、を備える。
【００３５】
先端スライド筒５２は、その先端部に筆記芯の外径よりも僅かに大きい内径を持つ芯挿通孔５２ａを有しており、その外周面に軸筒１０の先筒１６の内段部１６ｂと当接する段部５２ｂを有している。
【００３６】
後端スライド筒５４は、その先端部に筆記芯の外径よりも僅かに大きい内径を持つ芯挿通孔５４ａを有している。但し、芯挿通孔５４ａの内径は、芯挿通孔５２ａの内径よりも大きくなっている。また、後端スライド筒５４の後部は、径方向に変位可能となった複数の係合片５４ｂから構成され、少なくとも２つの係合片５４ｂには、その外周面に係合突起５４ｃが形成される。また、各係合片５４ｂの外周面には凹部５４ｄが形成され、該凹部５４ｄは、スライド収納筒３６の凸部３６ｂと合致する形状となっている。
【００３７】
先端スライド筒５２の芯挿通孔５２ａに連通する後部内部と、後端スライド筒５４の先端面とによって囲まれた部分には、筆記芯の外径よりも十分に大きい内径を持った作動空間５８が画成されており、パッキン５６は、芯挿通孔５２ａに隣接するように作動空間５８の前端に配置され、挿通する筆記芯に摩擦力を付与する。この摩擦力は、チャックスプリング３４８の付勢力よりも強くなるように設定される。
【００３８】
・第１付勢手段６０
第１付勢手段６０は、コイルバネとして構成され、筆記芯送り出し手段３０の尾栓筒４０と、筆記芯収納手段２０の収納筒２２との間に介挿されて、常時両者を離反する方向に付勢する。従って、筆記芯収納手段２０は、そのストッパ２４の突起２４ａが継手筒１４の後摺動溝部１４ｄの後端に当接する位置を最後方位置として後方に付勢された状態で軸筒１０内に配置される。また、筆記芯送り出し手段３０は、その尾栓筒４０が継手筒１４の後端に当接する位置を最前方位置として前方に付勢された状態で軸筒１０内に配置される。
【００３９】
・第２付勢手段６２
第２付勢手段６２は、コイルバネとして構成され、筆記芯送り出し手段３０の突出し部材３８と、スライド手段５０の後端スライド筒５４との間に介挿されて、常時両者を離反する方向に付勢する。従って、スライド手段５０は、その先端スライド筒５２の段部５２ｂが軸筒１０の先筒１６の内段部１６ｂに当接する位置を最前方位置として前方に付勢された状態で軸筒１０内に配置される。
【００４０】
また、第２付勢手段６２の付勢力は第１付勢手段６０の付勢力よりも弱く設定されており、これによって、筆記芯送り出し手段３０は、突出し部材３８がスライド収納筒３６に対して最後方位置に位置として後方に付勢され、且つ、スライド収納筒３６を介して送り出し筒３２０が尾栓筒４０に当接するように付勢されるようにして、軸筒１０内に配置される。
【００４１】
また、第２付勢手段６２の付勢力はチャックスプリング３４８の付勢力よりも強く、且つ、パッキン５６の芯への摩擦力よりも弱く設定される。
【００４２】
・スライド前進規制手段７０
スライド前進規制手段７０としてのスライド受け部は、外筒１２の内周面に嵌着されており、軸筒１０に対して固定される。スライド受け部７０には、その内径方向に突出する環状の係合突起７０ａが形成されており、係合突起７０ａは、スライド手段５０の後端スライド筒５４の係合突起５４ｃと係合可能となっている。係合突起７０ａの形状は、後方に向かうに従って漸次高さが高くなる傾斜形状となっている一方で、その後端部は軸方向に対して直交する直壁形状となっている。このため、後端スライド筒５４が後退して、係合突起５４ｃと係合突起７０ａが係り合ったときに、後端スライド筒５４の係合片５４ｂが漸次内径方向に変位することで、係合突起５４ｃが係合突起７０ａを通過することが可能である一方で、一旦、通過すると、係合突起７０ａが係合突起５４ｃに係止するために、後端スライド筒５４の前進は規制されるようになっている。
【００４３】
・介在手段７２
介在手段７２は、筆記芯送り出し手段３０とスライド手段５０との間に設けられる。介在手段７２は、具体的には図１０に示すように、筆記芯が挿通可能となった管状の部材からなり、その後端部が筆記芯送り出し手段３０の突出し部材３８に固着され、その先端部がスライド手段５０の後端スライド筒５４の芯挿通孔５４ａ内を摺動可能に挿通して、スライド手段５０の作動空間５８内に挿入されており、介在手段７２の先端には外径方向に突出した干渉突起７２ａが形成される。干渉突起７２ａは、作動空間５８内を移動することができるものの、後端スライド筒５４の芯挿通孔５４ａを挿通することはできず、後端スライド筒５４の先端面に前方から干渉可能となっている。
【００４４】
但し、介在手段７２としてはこれ以外の任意の構成とすることができる。そして、筆記芯送り出し手段３０が後方へと移動されたときに、これに伴い介在手段７２が後退し、干渉突起７２ａは後端スライド筒５４の先端面に干渉して、後端スライド筒５４を後方へと牽引していくので、スライド手段５０が筆記芯送り出し手段３０と共に後退することができるようになっている。一方、筆記芯送り出し手段３０が前方へと移動されたときに、干渉突起７２ａは作動空間５８内を移動することができるため、筆記芯送り出し手段３０は、スライド手段５０に対して相対的に前進することができるようになっている。
【００４５】
次に、以上のように構成されるシャープペンシル１０の芯送り等の動作について説明する。
【００４６】
・収納状態
図１１は、シャープペンシルの収納状態を表しており、この状態においては、スライド手段５０が完全に軸筒１０内に退没しており、スライド手段５０の後端スライド筒５４の後部が、筆記芯送り出し手段３０のスライド収納筒３６内に挿入されて、後端スライド筒５４の凹部５４ｄがスライド収納筒３６の凸部３６ｂに嵌合している。従って、筆記芯送り出し手段３０とスライド手段５０は一体的に連結されている。
【００４７】
このように、スライド手段５０及び筆記芯共に軸筒１０内に退没しているために、不用意なノックによる筆記芯の送り出しが防止されている。
【００４８】
この状態において、手段及び部材間のクリアランス等を以下のように表記する。
【００４９】
第１付勢手段６０のストローク代：Ｓ１
筆記芯収納手段２０のストッパ２４の先端面と筆記芯送り出し手段３０のチャック３４２の環状突起３４２ｂとの間のクリアランス：Ｓ２
筆記芯収納手段２０のストッパ２４の突起２４ａと筆記芯送り出し手段３０の送り出し筒３２０のスリット３２０ｂの先端面との間のクリアランス：Ｓ３
筆記芯送り出し手段３０の送り出し筒３２０の突起３２０ａと軸筒１０の継手筒１４の前摺動溝１４ｃの後端面との間のクリアランス：Ｓ４
筆記芯送り出し手段３０のチャック３４２の先端面と突出し部材３８の後端面との間のクリアランス：Ｓ５
スライド収納筒３６の先端面とスライド前進規制手段７０の係合突起７０ａの後端面との間のクリアランス：Ｓ６
ここで、Ｓ２＜Ｓ３である。また、Ｓ３−Ｓ２＞Ｓ５である。
【００５０】
・収納解除
図１１に示す収納状態から筆記芯収納手段２０の後端部をノックすると、軸筒１０に対して筆記芯収納手段２０が前進する。このとき、ストッパ２４の突起２４ａと送り出し筒３２０のスリット３２０ｂの幅狭部３２０ｃとの摩擦力によって、筆記芯送り出し手段３０が筆記芯収納手段２０と一体的に前進し、且つ、筆記芯送り出し手段に一体的に連結されたスライド手段５０も、一緒に前進する。
【００５１】
クリアランスＳ６分、前進すると、筆記芯送り出し手段３０のスライド収納筒３６がスライド前進規制手段７０に当接して、前進が規制される。
【００５２】
すると、図１２に示すように、筆記芯収納手段２０だけが前進するようになり、クリアランスＳ２分移動すると、ストッパ２４の先端面がチャック３４２の環状突起３４２ｂに当接するので、チャック３４２が送り出し筒３２０に対して前進する。チャック３４２が移動するときに、筆記芯は、スライド手段５０に対して前進する。そして、クリアランスＳ５分チャック３４２が移動すると、チャック３４２が突出し部材３８をスライド収納筒３６に対して前進させて、スライド収納筒３６の受け片３６ａを外径方向へと押し広げるために、後端スライド筒５４の凹部５４ｄとスライド収納筒３６の凸部３６ｂとの係合が外れ、さらに、突出し部材３８が第２スライド筒５４を前進させるため、後端スライド筒５４の係合突起５４ｃは、スライド前進規制手段７０の係合突起７０ａを通過する。すると、スライド手段５０は第２付勢手段６２によってその先端スライド筒５２の段部５２ｂが先筒１６の内段部１６ｂに当接するまで前進して、先端スライド筒５２の先端が軸筒１０の先筒１６の先端開口１６ａから突出することができる。
【００５３】
筆記芯収納手段２０が収納状態からクリアランスＳ６＋Ｓ３分前進すると、図１２に示すように、ストッパ２４の突起２４ａが送り出し筒３２０のスリット３２０ｂの先端面に当接するので、それ以上の後端ノックは不可能となり、ノック力を緩めると、第１付勢手段６０及びチャックスプリング３４８の付勢力により、図３に示す状態となる。このとき筆記芯は、クリアランスＳ５分、スライド手段５０に突出した状態であるため、筆記を行うことができるようになる。このとき介在手段７２の干渉突起７２ａは、スライド手段５０の後端スライド筒５４の先端面に近接した位置にあるとよい。
【００５４】
筆記中に過大な筆圧が作用した場合には、その過大筆圧を、筆記芯から筆記芯送り出し手段３０を介して第１付勢手段６０が吸収することができる。
【００５５】
尚、図３に示す状態でのスライド手段５０の後端スライド筒５４の係合突起５４ｃと、スライド前進規制手段７０の係合突起７０ａとの間のクリアランスをＳ７とする。ここで、Ｓ７＜Ｓ４＜Ｓ３である。また、スライド手段５０の後端スライド筒５４の後端面と筆記芯送り出し手段３０のスライド収納筒３６の先端面とのクリアランスをＳ８とする。
【００５６】
・後端ノック時
通常のシャープペンシルのように、図３に示す状態から、後端ノックを行い、第１付勢手段６０の付勢力に抗して軸筒１０に対して筆記芯収納手段２０を前進させると、ストッパ２４の突起２４ａと、送り出し筒３２０のスリット３２０ｂの幅狭部３２０ｃとの摩擦力によって、筆記芯送り出し手段３０及び筆記芯が全体的に前進する。クリアランスＳ８分、前進すると、スライド収納筒３６がスライド手段５０の後端スライド筒５４の後端面に当接し、スライド収納筒３６と一体の送り出し筒３２０の前進が規制される。その後、筆記芯収納手段２０だけが前進するようになり、クリアランスＳ２分移動すると、ストッパ２４の先端面がチャック３４２の環状突起３４２ｂに当接するので、チャック３４２が送り出し筒３２０に対して前進されて、筆記芯への締付が解除され、ノック力が解除された後、筆記芯送り出し手段３０は後退して元の状態に戻る。しかしながら、筆記芯は、スライド手段５０のパッキン５６の摩擦力により後退せずに、その位置でとどまる。この結果として、筆記芯送り出し手段３０がスライド手段５０に対して相対移動したクリアランスＳ８分、筆記芯の送り出しが行われる。
【００５７】
・先端ノック時
図３に示すように筆記芯がスライド手段５０から突出した状態で筆記を行っているときに、筆記芯の送り出しを行いたい場合には、筆記芯を筆記面に対してノックすることで、先端ノックを行う。
【００５８】
これによって、筆記芯は後退するが、送り出し機構３２は、筆記芯のチャック３４２に対する後方への移動を規制しているために、筆記芯送り出し手段３０が第１付勢手段６０の付勢力に抗して全体的に筆記芯と共に後退する。すると、介在手段７２も後退し、介在手段７２の干渉突起７２ａがスライド手段５０の後端スライド筒５４の先端面に前方から干渉するために、スライド手段５０も介在手段７２によって牽引されて後退する。
【００５９】
図１３に示すように、先端ノックにより、筆記芯をクリアランスＳ７以上、後退させると、スライド手段５０の後端スライド筒５４の係合突起５４ｃが、スライド前進規制手段７０の係合突起７０ａを通過する。そして、ノック力を解除すると、第１付勢手段６０の付勢力により、図１４に示すように、筆記芯送り出し手段３０は前進するが、スライド手段５０の後端スライド筒５４の係合突起５４ｃがスライド前進規制手段７０の係合突起７０ａに係止するために、スライド手段５０の前進は規制される。このとき、介在手段７２は、スライド手段５０の後端スライド筒５４に対して摺動し、その干渉突起７２ａは、作動空間５８を移動する。
【００６０】
第１付勢手段６０の付勢力により、筆記芯送り出し手段３０がスライド手段５０に対してクリアランスＳ８分だけ前方に移動すると、そのスライド収納筒３６がスライド手段５０の後端スライド筒５４の後端面に当接して、スライド手段５０を前方へ押し出すので、係合突起５４ｃと係合突起７０ａとの係止が解除され、第２付勢手段６２による付勢力によって、スライド手段５０は、先端スライド筒５２の段部５２ｂが先筒１６の内段部１６ｂに当接するまで前進して動作が終了する。パッキン５６の摩擦力により筆記芯もスライド５０と共に前進する。この結果として、図１５に示すように、筆記芯送り出し手段３０がスライド手段５０に対して相対移動したクリアランスＳ８分、筆記芯の送り出しが行われることとなり、筆記芯の消耗分を補うことができる。
【００６１】
このように、使用により筆記芯が消耗したときに、筆記芯を筆記面に対して押し付けて、先端ノックを行うことができるので、スライド手段５０を筆記面に接させることなく、筆記芯の送り出しを行うことができる。
【００６２】
従って、スライド手段５０を筆記面から離すことができるために、快適な筆記を行うことができる。また、先端ノックを適宜数行うことによって、使用者の好みに応じた筆記芯の突出長さとすることができる。
【００６３】
但し、スライド手段５０と筆記芯とが面一になった状態で、先端ノックを行っても、同様に筆記芯を送り出すことができる。即ち、スライド手段５０を筆記芯と共に先端ノックすると、スライド手段５０、筆記芯、及び筆記芯送り出し手段３０が後方に移動し、スライド手段５０の後端スライド筒５４の係合突起５４ｃが、スライド前進規制手段７０の係合突起７０ａを通過し、スライド手段５０はスライド前進規制手段７０によって前進が規制される。そして、ノック力を解除すると、第１付勢手段６０の付勢力により、筆記芯送り出し手段３０がスライド手段５０に対してクリアランスＳ８分だけ前進し、その後に、スライド手段５０が筆記芯送り出し手段３０によって押し出されて、元に戻ることができるので、結果として、クリアランスＳ８分、筆記芯を送り出すことができる。
【００６４】
・筆記中断時
図３に示す状態から筆記を続けていき、筆記芯が先端スライド筒５２の先端と面一になり、筆記面に先端スライド筒５２の先端が当たるようになると、先端スライド筒５２は、図１６に示すように、第２付勢手段６２を圧縮させつつ、第２付勢手段６２の付勢力に抗して後退することができる。この状態で筆記を中断するべく筆記面からシャープペンシルを離すと、第２付勢手段６２の付勢力により、スライド手段５０が前進されるが、このときに、第２付勢手段６２の付勢力及びスライド手段５０のパッキン５６による摩擦力は、チャックスプリング３４８の付勢力よりも強いため、筆記芯が送り出し機構３２から送り出される。
【００６５】
こうして、スライド手段５０は、先端スライド筒５２の段部５２ｂが先筒１６の内段部１６ｂに当接するまで前方に移動し、筆記芯はスライド手段５０と共に送り出される。
【００６６】
以上のように様々な形態で芯を送り出すことができて、使用者の好みに合わせた芯の送り出しが可能となる。
【００６７】
尚、筆記が終了して図１１の収納状態に戻すときには、通常のシャープペンシルと同様に、後端ノックを行いつつ、筆記先端を筆記面に押圧して先端ノックも行うことで、図１１の状態とすることができる。このとき図１２のような状態を経ることで、突き出し部材３８がスライド受け筒３６の受け片３６ａを外径方向へ押し広げて、後端スライド筒５４をスライド受け筒３６の中に受け入れて、その凹部５４とスライド受け筒３６の凸部３６ｂとの嵌合を行うことができる。また、チャック３４２が筆記芯の締付を解除するので、筆記芯とスライド部材５０とが軸筒１０内へと退没することができる。
【符号の説明】
【００６８】
１０  軸筒
１６ａ  先端開口
３０  筆記芯送り出し手段
５０  スライド手段
５２  先端スライド筒（先端スライド部材）
５４  後端スライド筒（後端スライド部材）
６０  第１付勢手段
６２  第２付勢手段
７０  スライド前進規制手段
７２  介在手段
７２ａ  干渉突起
【図１】
2014213509.tif 000003
【図２】
2014213509.tif 000004
【図３】
2014213509.tif 000005
【図４】
2014213509.tif 000006
【図５】
2014213509.tif 000007
【図６】
2014213509.tif 000008
【図７】
2014213509.tif 000009
【図８】
2014213509.tif 000010
【図９】
2014213509.tif 000011
【図１０】
2014213509.tif 000012
【図１１】
2014213509.tif 000013
【図１２】
2014213509.tif 000014
【図１３】
2014213509.tif 000015
【図１４】
2014213509.tif 000016
【図１５】
2014213509.tif 000017
【図１６】
2014213509.tif 000018